(57)【要約】【課題】  小型で、取付け、保守が容易で、信頼性が高く、長期使用に耐え得る水検知付きオイルストレーナを提供すること。  【解決手段】  この発明の水検知付きオイルストレーナは、液体燃料燃焼器の燃料供給系統と燃焼器の間に設けたオイルストレーナの本体１に燃料油から分離された水がカップ２の底部に一定量溜まったことを検知する水検知センサ６と該センサを電気回路と接続し、水位の上昇によりセンサ６が導通したとき、警告ランプ１３を点灯する制御基板１１を備え、前記警告ランプの点灯を受けて、水を除去する時にカップを取り外す際に、燃料の流入を止めるコックを一体に構成したことを特徴とする。【選択図】  図１
2010181040.tif 000002
【特許請求の範囲】
【請求項１】
液体燃料燃焼器の燃料供給系統と燃焼器の間に設けたオイルストレーナの本体に燃料油から分離された水がカップの底部に一定量溜まったことを検知する水検知センサと該センサを電気回路と接続し、水位の上昇によりセンサが導通したとき、警告ランプを点灯する制御基板を備え、前記警告ランプの点灯を受けて、水を除去する時にカップを取り外す際に、燃料の流入を止めるコックを一体に構成したことを特徴とする水検知付きオイルストレーナ。
【請求項２】
前記制御基板は、水検知センサと接続する接触子と、水による導通時に外部に表示する警告ランプと、電源の電池と電池の残量を確認するバッテリチェック機能を備え、該制御基板をオイルストレーナ本体に収納部に固定し、前記収納部の蓋により外気と遮断して取り付けられ、更に前記蓋には警告ランプの穴とバッテリチェックの穴を備え、それぞれの穴は透光性フィルムと柔軟性フィルムとにより粘着密封していることを特徴とする請求項１に記載の水検知付きオイルストレーナ。
【請求項３】
前記制御基板を収納するケースを本体に設けた水検知センサと導通状態で一体に取り付けたことを特徴とする請求項１或いは２に記載の水検知付きオイルストレーナ。
【発明の詳細な説明】
【技術分野】
【０００１】
この発明は、液体燃料の燃焼器への燃料供給系の流路の間に設けられているオイルストレーナーの構成に関する。
【背景技術】
【０００２】
液体燃料を燃料タンクから燃焼器へ送油する場合に燃料に含まれている異物や水分を除去するオイルストレーナーであって、一定量の水が溜まった時に電気的に水検知する従来の技術として実開昭５８ー１４５５１７号公報（全文）（特許文献１）が開示されている。この先行技術は燃料フィルタの金属ケースの底部に検知電極を有する水検知部を配設し、検知電極と接続した制御回路と表示回路とで構成され、水位が検知電極に達した時に表示器が作動し、同時に電磁リレーを作動させて検知電流を遮断する構成である。
【０００３】
また、別の考案として実開昭５９ー１０２１１６号公報（全文）（特許文献２）が開示されている。この技術は筒状ボデイ内部に水分離機構を有し、油中の水分を比重分離して筒状ボデイの底部に溜め、磁気フロートスイッチ稈よりなる水位センサを有し、底部に透孔を有するフロート室を設けて垂直方向へ昇降自在に設置された構成であって、第１図には警告装置１２が記載され、水位の上昇にともないフロートが浮上すると、スイッチ稈のリードスイッチが閉鎖し、警報装置により警報を発する構成である。
【先行技術文献】
【特許文献】
【０００４】
【特許文献１】実開昭５８−１４５５１７号公報（全文）
【特許文献２】実開昭５９−１０２１１６号公報（全文）
【発明の概要】
【発明が解決しようとする課題】
【０００５】
液体燃料には生産者から各消費者への流通途中での異物や水分の混入及び消費者の燃料タンクに保管時にタンク内部に進入する大気に含まれる水分による結露水や錆の発生があり、これらがタンクの底部に溜まり、燃焼器への送油中に混入して燃焼器内のポンプやバルブ、制御弁等に流入して作動不良を起こし、失火、発煙や最悪の場合には燃料の燃焼器外部へ流出に到る不都合が発生することがある。
【０００６】
従来、燃料タンクと燃焼器の送油途中には、前述の異物や水分の燃焼器へ流入を防ぐため、これらを濾過したり溜めるためのオイルストレーナが設けられているが、外部からストレーナ内部を監視出来ないので、水が流入したとき水位がわからず、水位が上がって燃焼器へ流入し、燃焼不都合が発生してから気づくことが多く、燃焼器の修理費用が多大にかかってしまうことが頻発している。
【０００７】
この発明の目的は、前述の不都合を鑑み、従来技術では達し得なかった小型で、取付け、保守が容易で、信頼性が高く、長期使用に耐え得る水検知付きオイルストレーナを提供することである。
【課題を解決するための手段】
【０００８】
この課題を解決するため、オイルストレーナに水検知センサと一定量水が溜まった時に二本のセンサが導通し、電気回路と接続した制御基板に組み込まれた電源の電池とにより警告ランプが点灯して水排出時期を知らせ、燃料タンクとの接続口からの流入路に備えたコックを閉じて、オイルストレーナのカップを外して溜まった水を容易に除去可能とする機能を一体的に構成しており、更に制御基板には電源の電池の残量をチェックするバッテリチェックを設けたことで燃料タンクに給油する際などにも簡単に確認することが出来る。また、これらの機能は、妨滴性を備えて収納して、屋外使用にも耐え得る構造とした水検知付きオイルストレーナによって解決される。
【発明の効果】
【０００９】
この発明による水検知付きオイルストレーナは、燃料タンクから流入した水が所定の検知水位に達したときに、一体に構成した制御基板により警告ランプを点灯して、使用者が常時、目視確認することができ、外部からの制御や電源も必要としない、また、防滴構造としており、屋外での使用にも充分耐え得る小型で、取付け勝手に優れた水検知付きオイルストレーナを提供可能としたものである。
【００１０】
燃焼器への水混入を事前に感知して、処理することができるので、燃焼器の故障を無くして、長寿命になるので、使用者の保守費用が大幅に削減されると共に、燃焼器への水混入による燃焼不具合、発煙、更には燃料の漏出等を防止することにより、安全、安心面においても良好な製品を提供できる。
【図面の簡単な説明】
【００１１】
【図１】水検知付きオイルストレーナの一実施例の縦断面図である。
【図２】水検知付きオイルストレーナの他の実施例の縦断面図である。
【図３】燃料の流路を示す縦断面図である。
【図４】燃料タンクから燃焼器に到る燃料供給系統を示す。
【発明を実施するための形態】
【００１２】
この発明の実施例は、次に図面に基づいて詳細に説明される。
【実施例１】
【００１３】
図１は、請求項１及び請求項２に係る発明の水検知付きオイルストレーナの一実施例である。金属性のオイルストレーナ本体１にフィルタ３と２本の水検知センサ６と一体の絶縁体から成るセンサホルダ７がパッキン８を介してロックナット９により固定され、フィルタ３と水検知センサ６を内蔵した構成でカップ２がリング４とパッキン５でストレーナ本体１に気密に挟持している。この時、水検知センサ６の下端部はカップ２の底面より検知水位Ａまで上方に設置している。
【００１４】
一方、本体１の収納部１ａに水検知センサ６の一部が突き出している。制御基板１１には、電気回路がプリント配線され、各々の電子部品と電池ケース１２ａ、警告ランプ１３、バッテリチェック１４が接続され、また、バネ性の接触子１５を係着している。前述の制御基板１１を収納部１ａに図示しないねじにより接触子１５が水検知センサ６と接続導通状態で本体１に固定している。
【００１５】
電池ケース１２ａには電池１２が交換脱着自在に設けられる。更に、蓋１０を本体１にパッキン１６を介して止めねじ２９（図３に示す）で固定している。蓋１０の要部に警告ランプ１３の透光穴１３ａとバッテリチェック１４の操作穴１４ａが設けてあり、その各々の穴を透光シール１３ｂ、操作シール１４ｂで粘着取り付けられて、収納部は外気と遮断している。
【００１６】
図３は、燃料の流路を示す縦断面図であり、本体１には燃料タンクからの燃料の流入側である流入口２２、流路２５ａ、バルブ穴２６、流路２５ｂを設け、流出側には流出路２７と流出口２３を設けている。
【００１７】
流入側の流路２５ｂの穴口にバルブシート２４を備え、対向して、バルブコック２０がＯリング２１を係着して流路と外部を遮断しつつ流入路２５ｂをねじにより開閉自在に設け、また、本体１に突設した流出路２７のボス部の外周にフィルタ３の開口部に係止したＯリング２８で係止している。
【００１８】
図４は、燃料タンクから燃焼器に到る燃料供給系統を示した図であり、燃焼器３２の運転によりオイルストレーナ本体１の流入口２２に燃料タンク３３から燃料が供給されると、流入路２５ａ、バルブ穴２６、流入路２５ｂを通り、カップ２に流入する。カップ２に流入した燃料は、フィルタ３により異物が濾過され、フィルタ３の内部を通過して流出路２７から流出口２３を通り給油管３１より燃焼器３２に送られて燃焼する。
【００１９】
ここで燃料に水が混入していると、比重の重い水がカップ２の底部に滞留する。滞留した水の水位Ａが序々に上昇し、２本の水検知センサ６の先端まで達し、接触導通すると、制御基板１１の回路が働き、警告ランプ１３が点灯し、蓋１０の透光穴１３ａと透光シール１３ｂより外部から目視できる。この点灯により、使用者は水の混入を認知して燃焼器を停止する。
【００２０】
水の除去は、コック２０を回動し、流入路２５ｂのバルブシート２４を閉じ、流入路を閉塞する。次に、オイルストレーナのリング４を回動して、カップ２を本体１より外し、内部に溜まった水を除去した後に、リング４を回動してカップ２を元通り本体１に締め付けた後、コック２０を回動してバルブシート２４を開口して流入路を開成し、警告ランプが消灯していることを確認した上で、燃焼器の運転を開始する。
【００２１】
水検知センサ６の動作確認及び制御基板１１に付設の電池１２の残量を蓋１０に設けた操作穴１４ａに貼着した操作シール１４を介してバッテリチェック１４を押すことで確認することができる。電池１０が消耗したときは、蓋１０の止めねじ２９を外して交換する。                                                                              
【実施例２】
【００２２】
請求項３に係る発明の他の実施例が図２に示されている。前述した図１の実施例では、オイルストレーナの本体１は制御基板１１の収納部１ａを一体構成としているが、図２の実施例では、本体１とは別体の収納部１ａを有するケース１７を設けた構成であり、本体１の上方に突設した水検知センサ６の突設部６ａをケース１７に内蔵配設した制御基板１１のハウジング１５ａ内の接触子１５にゴムブッシュ１８を貫通して摺接させ、２本の水検知センサ６と制御基板１１を導通させた状態でケース１７の裏側を本体１にねじ１９により固定し、ゴムブッシュ１８で外気を遮断している。この場合に、ケースは合成樹脂製で安価に製作できる。
【００２３】
以上の実施例の構成により、燃料タンク３３から流入した水が所定の検知水位に達したときに、一体に構成した制御基板により警告ランプを点灯して、使用者が常時、目視確認することができる。外部からの制御や電源も必要としなく、また、防滴構造としており、屋外での使用にも充分耐え得る。小型で、取付け勝手に優れたものを提供可能である。
【００２４】
燃焼器への水混入を事前に感知して、処理することができるので、燃焼器の故障を無くして、長寿命になるので、使用者の保守費用が大幅に削減される。更に、燃焼器への水混入による燃焼不具合、発煙、更には燃料の漏出等を防止することにより、安全、安心面にも良好な製品を提供できる。
【符号の説明】
【００２５】
１．．．．．オイルストレーナ本体
１ａ．．．．収納部
２．．．．．カップ
３．．．．．フィルタ
４．．．．．リング
５．．．．．パッキン
６．．．．．水検知センサ
７．．．．．センサホルダ
８．．．．．パッキン
９．．．．．ロックナット
１０．．．．蓋
１１．．．．制御基板
１２．．．．電池
１２ａ．．．電池ケース
１３．．．．警告ランプ
１３ａ．．．透光穴
１３ｂ．．．透光シール
１４．．．．バッテリチェック
１４ｂ．．．操作シール
１５．．．．接触子
１５ａ．．．ハウジング
１６．．．．パッキン
１７．．．．ケース
１８．．．．ゴムブッシュ
１９．．．．ねじ
２０．．．．バルブ
２１．．．．Ｏリング
２２．．．．流入口
２３．．．．流出口
２４．．．．バルブシート
２５ａ．．．流入路
２５ｂ．．．流入路
２６．．．．バルブ穴
２７．．．．流出路
２８．．．．Ｏリング
２９．．．．止めねじ
３０．．．．オイルストレーナ
３１．．．．給油管
３２．．．．燃焼器
３３．．．．燃料タンク
３４．．．．給油口
Ａ．．．．．検知水位
【図１】
2010181040.tif 000003
【図２】
2010181040.tif 000004
【図３】
2010181040.tif 000005
【図４】
2010181040.tif 000006